(57)【特許請求の範囲】
【請求項１】
箱本体とその上に被せられて固定される蓋とがなす内部空間内で光ファイバ心線の接続が行われ、且つ前記光ファイバ心線の余長が収納されるようになっている光ケーブル接続箱において、
前記内部空間の底部には該内部空間内に導入される光ケーブルのテンションメンバを引止めるテンションメンバ引止め具と、前記光ケーブルの前記光ファイバ心線が集合された光ファイバユニットの余長部を所要の曲げ半径を確保しながら配線できる位置に配置されたユニットガイドと、移動板支持脚とが設けられ、
前記内部空間の高さ方向の途中には前記移動板支持脚の上端で支えられる移動板が配置され、該移動板は前記移動板支持脚の上端に乗って支えられる状態と少なくとも一部が前記箱本体の外に出る位置まで移動される状態とが得られるように移動板移動アームで支持され、前記移動板上には個々の光ファイバ心線の余長部を光ファイバ心線毎に収容する複数の光ファイバ余長部収納トレイが設けられていることを特徴とする光ケーブル接続箱。
【請求項２】
前記内部空間内には、該内部空間の底部側から前記光ファイバユニットまたは前記光ファイバ心線を前記移動板側に誘導する複数本の光ファイバガイドパイプが、前記内部空間の底部と前記移動板とにそれぞれ回転自在に支持されて設けられていることを特徴とする請求項１に記載の光ケーブル接続箱。
【請求項３】
前記移動板上には前記各光ファイバ余長部収納トレイがそれぞれ縦向きの姿勢で、且つ個々に取り外し可能に支持されていることを特徴とする請求項１または２に記載の光ケーブル接続箱。
【請求項４】
前記移動板上には前記光ファイバガイドパイプから導出された前記光ファイバユニットまたは前記光ファイバ心線を保持する光ファイバホルダが設けられていることを特徴とする請求項２または３に記載の光ケーブル接続箱。
【発明の詳細な説明】
【０００１】
【発明の属する技術分野】
本発明は、箱本体とその上に被せられて固定される蓋とがなす内部空間内で光ファイバ心線の接続が行われ、且つ光ファイバ心線の余長が収納されるようになっている光ケーブル接続箱に関するものである。
【０００２】
【従来の技術】
従来のこの種の光ケーブル接続箱では、箱本体とその上に被せられて固定される蓋とがなす内部空間の底部上の片側に、光ケーブルの光ファイバユニットを収容する空間を設け、また該内部空間の底部上の反対側に、個々の光ファイバ心線の余長部を収容する複数の光ファイバ余長部収納シートを積み重ねて収容する余長部収納シート収容空間を設けた構造であった。
【０００３】
ところで、電話網や光通信サービス網等は産業に深く結びついているため、回線の停止による被害は計り知れないものがある。このため、運用中の光通信を停止させることが困難である。
【０００４】
【発明が解決しようとする課題】
しかるに、従来のこの種の光ケーブル接続箱では、箱本体とその上に被せられて固定される蓋とがなす内部空間の底部上の片側に光ファイバユニット収容空間を設け、また該内部空間の底部上の反対側に余長部収納シート収容空間を設けていたので、光ケーブル接続箱を設置する設置面積を広く確保しなければならない問題点があった。
【０００５】
また、従来のこの種の光ケーブル接続箱では、個々の光ファイバ心線の余長部を収容する光ファイバ余長部収納シートは、柔らかい構造であるため特定の光ファイバ心線を扱っている時に他の光ファイバ心線を動かしてしまうことになる。また、１シートに複数本の光ファイバ心線が収納されているため、１心線ずつ扱うことができない。さらに、シートの外の光ファイバ心線と光ファイバユニットが互いに接している箇所があるため、特定の光ファイバ心線を扱っている時に他の光ファイバ心線を動かしてしまうことになる。このため、光ファイバ心線の曲率が小さくなることによる曲げ損失、光ファイバ心線に側圧を与えることによるマイクロベンド損失等の歪みを他の光ファイバ心線に与えてしまい、光信号レベルの低下による光通信を停止させてしまう問題点があった。
【０００６】
さらに、光ファイバ心線の余長が光ファイバ余長部収納シート内でしか取れないため、光ファイバ心線の接続が規定回数以上失敗した場合、接続箱内に余長がないため総ての接続をやり直さなければならない問題点があった。
【０００７】
本発明の目的は、光ケーブル接続箱を設置する設置面積を小さくすることができる光ケーブル接続箱を提供することにある。
【０００８】
本発明の他の目的は、光ファイバユニットの状態で余長をとることができる光ケーブル接続箱を提供することにある。
【０００９】
本発明の他の目的は、特定の光ファイバ心線を扱っている時に他の光ファイバ心線を動かすのを防止できる光ケーブル接続箱を提供することにある。
【００１０】
本発明の他の目的は、１心線ずつ扱うことができる光ケーブル接続箱を提供することにある。
【００１１】
【課題を解決するための手段】
本発明は、箱本体とその上に被せられて固定される蓋とがなす内部空間内で光ファイバ心線の接続が行われ、且つ光ファイバ心線の余長が収納されるようになっている光ケーブル接続箱を改良するものである。
【００１２】
請求項１に記載の光ケーブル接続箱においては、内部空間の底部には、該内部空間内に導入される光ケーブルのテンションメンバを引止めるテンションメンバ引止め具と、光ケーブルの光ファイバ心線が集合された光ファイバユニットの余長部を所要の曲げ半径を確保しながら配線できる位置に配置されたユニットガイドと、移動板支持脚とが設けられている。内部空間の高さ方向の途中には、移動板支持脚の上端で支えられる移動板が配置されいる。該移動板は、移動板支持脚の上端に乗って支えられる状態と、少なくとも一部が箱本体の外に出る位置まで移動される状態とが得られるように移動板移動アームで支持されている。移動板上には、個々の光ファイバ心線の余長部を光ファイバ心線毎に収容する複数の光ファイバ余長部収納トレイが設けられている。
【００１３】
このような光ケーブル接続箱では、内部空間内の底部側に光ファイバユニットの余長部が収容され、内部空間の高さ方向の途中に複数の光ファイバ余長部収納トレイが収容されるようになっているので、箱の底面積を可及的に小さくすることができ、該接続箱の設置面積を小さくすることができる。
【００１４】
このケーブル接続箱では、内部空間内の底部側で作業をするときには、複数の光ファイバ余長部収納トレイを支持している移動板が、移動板移動アームの案内で内部空間の上部側をあけるように移動するようになっているので、内部空間内の底部側での作業を支障なく行うことができる。
【００１５】
また、内部空間内の底部側に光ファイバユニットの余長部を収容するようになっているので、光ファイバ心線の余長が足りなくなった場合、光ファイバユニットの余長部から余長を供給することができ、接続箱内に余長がないため総ての接続をやり直すような事態の発生を回避することができる。
【００１６】
請求項２に記載の光ケーブル接続箱は、請求項１において、内部空間内には、該内部空間の底部側から光ファイバユニットまたは光ファイバ心線を移動板側に誘導する複数本の光ファイバガイドパイプが、内部空間の底部と移動板とにそれぞれ回転自在に支持されて設けられていることを特徴とする。
【００１７】
このような光ケーブル接続箱によれば、内部空間の底部側から移動板への光ファイバユニットまたは光ファイバ心線の立ち上げを、線のもつれを回避しつつ容易に行うことができる。また、複数の光ファイバ余長部収納トレイを支持した移動板を、内部空間の高さ方向の途中から側方に移動させる際にも、その移動を線のもつれを回避しつつ容易に行うことができる。
【００１８】
請求項３に記載の光ケーブル接続箱は、請求項１または２において、移動板上には各光ファイバ余長部収納トレイがそれぞれ縦向きの姿勢で、且つ個々に取り外し可能に支持されていることを特徴とする。
【００１９】
このような光ケーブル接続箱によれば、各光ファイバ余長部収納トレイは個々の光ファイバ心線の余長部を光ファイバ心線毎に収容するようになっており、しかも各光ファイバ余長部収納トレイは移動板上にそれぞれ縦向きの姿勢で、且つ個々に取り外し可能に支持されているので、他の光ファイバ心線に影響を与えずに１心線ずつ扱うことができる。このため、１本の光ファイバ心線を扱う際に、他の光ファイバ心線の曲率が小さくなることによる曲げ損失や、光ファイバ心線に側圧を与えることによるマイクロベンド損失等の歪みが与えられるのを回避でき、光信号レベルの低下による光通信の停止を回避することができる。
【００２０】
請求項４に記載の光ケーブル接続箱は、請求項２または３において、移動板上には光ファイバガイドパイプから導出された光ファイバユニットまたは光ファイバ心線を保持する光ファイバホルダが設けられていることを特徴とする。
【００２１】
このような光ケーブル接続箱によれば、内部空間の底部側から移動板に立ち上げられた光ファイバユニットまたは光ファイバ心線が移動板上で不要に移動するのを、光ファイバホルダで防止することができる。
【００２２】
【発明の実施の形態】
図１（Ａ）（Ｂ）〜図３は本発明に係る光ケーブル接続箱における実施の形態の一例を示したもので、図１（Ａ）はこの光ケーブル接続箱の蓋を破断して内部を開示した平面図、図１（Ｂ）は図１（Ａ）でケースの左半部を縦断して示した正面図、図２は図１（Ａ）でケースの左半部を縦断して示した背面図、図３は図１（Ａ）でケースを破断して内部を開示した右側面図である。
【００２３】
この光ケーブル接続箱においては、箱本体１とその上に被せられて固定される蓋２を備えている。これら箱本体１と蓋２とがなす内部空間３内で光ファイバ心線４の接続が行われ、且つ光ファイバ心線４の余長が収納されるようになっている。
【００２４】
箱本体１の正面には、内部空間３の底部側に入側の光ケーブル（図示せず）と出側の光ケーブル（図示せず）の先端部を導入する光ケーブル導入部５ａ，５ｂが、該箱本体１の正面の中央を堺にして左右対象に設けられている。即ち、本例では、１つの光ケーブル接続箱で２条の入側の光ケーブルの接続が左右別個に行えるようになっている。
【００２５】
内部空間３内の底部には、該内部空間３に導入される光ケーブル（図示せず）のテンションメンバ（図示せず）を引止めるテンションメンバ引止め具６と、光ケーブルの光ファイバ心線４が集合された光ファイバユニット７の余長部を所要の曲げ半径を確保しながら配線できる位置に配置された複数のユニットガイド８と、移動板支持脚９とが設けられている。ユニットガイド８は、光ファイバユニット７の束の余長部を許容される曲げ半径で輪取りした状態のものの各部を把持するようになっている。
【００２６】
内部空間３の高さ方向の途中には、移動板支持脚９の上端で支えられる移動板１０が配置されいる。該移動板１０は、移動板支持脚９の上端に乗って支えられる状態と、少なくとも一部が箱本体１の外に出る位置まで移動される状態とが得られるように移動板移動アーム１１，１２で支持されている。移動板１０上には、個々の光ファイバ心線４の余長部を光ファイバ心線毎に収容する複数の光ファイバ余長部収納トレイ１３が設けられている。
【００２７】
移動板１０は、本例では２条の光ケーブル毎に設けられ、図１に示すように内部空間３の中央を堺にして左右対象に配置されている。
【００２８】
移動板支持脚９は、内部空間３の中央側の前後で移動板１０の下面を支えるように設けられている。
【００２９】
移動板移動アーム１１はクランク形に屈曲された形状をなしており、移動板移動アーム１２は直線状をなしており、移動板１０の１枚につき、移動板移動アーム１１が２本、移動板移動アーム１２が１本使用されている。即ち、クランク形の２本の移動板移動アーム１１は、図示のように移動板１０を外側に移動させる側の縁部を支えるように前後に配置されている。直線状の移動板移動アーム１２は、移動板移動アーム１１が移動板１０を支持している側と反対側でしかも内部空間３の前後方向の後側で移動板１０を支持するように配置されている。これら移動板移動アーム１１，１２の下端は内部空間３の底部に枢支部１１ａ，１２ａで回転自在に枢支され、これら移動板移動アーム１１，１２の上端は移動板１０に枢支部１１ｂ，１２ｂで回転自在に枢支されている。
【００３０】
対応する移動板１０上にそれぞれ搭載されている複数の光ファイバ余長部収納トレイ１３は、当該移動板１０上にそれぞれ起立された１対のブラケット１４と、これらブラケット１４に両端が支持されたトレイ支持軸１５を用いてそれぞれ縦向きの姿勢で支持されている。即ち、各光ファイバ余長部収納トレイ１３は、その端部がトレイ支持軸１５に、その軸心を中心とした回転で個々の取り出しができ、且つ取り出した状態での姿勢の変更ができるようにして個々に支持されている。
【００３１】
また、個々の移動板１０上には、トレイ支持軸１５を中心とした回転で取り出されて、取り出した後の姿勢を板面が移動板１０に対向するようにした光ファイバ余長部収納トレイ１３を図３に示すように支えるために、各１対のブラケット１６と、これらブラケット１６に回転可能に両端が支持されたコ字状のトレイ受け枠１７とが設けられている。トレイ受け枠１７は、通常は図１（Ａ）（Ｂ）に示すように移動板１０に平行する向きで配置されていて、１つの光ファイバ余長部収納トレイ１３がトレイ支持軸１５を中心とした回転で取り出されて、図３に示すように取り出し姿勢の変更がなされたときに、この姿勢の光ファイバ余長部収納トレイ１３を支えるときに、立ち上げられて該トレイ１３を支えることができるようになっている。
【００３２】
内部空間３内には、該内部空間３の底部側から個々の光ファイバユニット７または光ファイバ心線４を各移動板１０側に誘導する複数本の光ファイバガイドパイプ１８が、各側でそれぞれ１列に並んだ状態で、内部空間３の底部と移動板１０とにそれぞれ回転自在に支持されて設けられている。
【００３３】
移動板１０の支持板１９上には、光ファイバガイドパイプ１８から導出された光ファイバユニット７または光ファイバ心線４を保持する複数の光ファイバホルダ２０が１列に整列させて設けられている。
【００３４】
このような光ケーブル接続箱では、箱本体１の正面から内部空間３の底部側に入側の光ケーブル（図示せず）が該箱本体１の正面の中央を堺にして左右対象に光ケーブル導入部５ａ，５ａから導入され、且つ該光ケーブル導入部５ａ，５ａで締め付けられて抜けないようにクランプされる。内部空間３内で光ケーブルの先端からテンションメンバ（図示せず）と複数の光ファイバユニット７とが導出され、テンションメンバはテンションメンバ引止め具６で引止められ、光ファイバユニット７の束の余長部は許容される曲げ半径で輪取りされてユニットガイド８でその状態が保持される。輪取りされた部分の先の各光ファイバユニット７または光ファイバ心線４は、対応する光ファイバガイドパイプ１８に通されて移動板１０側に誘導される。移動板１０側に出た各光ファイバユニット７または光ファイバ心線４は、光ファイバホルダ２０に通されて中間部が保持される。光ファイバユニット７の場合は、この光ファイバホルダ２０のところで複数本の光ファイバ心線４に分離される。
【００３５】
同様に、箱本体１の正面から内部空間３の底部側に出側の光ケーブル（図示せず）が該箱本体１の正面の中央を堺にして左右対象に光ケーブル導入部５ｂ，５ｂから導入され、且つ該光ケーブル導入部５ｂ，５ｂで締め付けられて抜けないようにクランプされる。内部空間３内で光ケーブルの先端からテンションメンバ（図示せず）と複数の光ファイバユニット７とが導出され、テンションメンバはテンションメンバ引止め具６で引止められ、光ファイバユニット７の束の余長部は許容される曲げ半径で輪取りされてユニットガイド８でその状態が保持される。輪取りされた部分の先の各光ファイバユニット７または光ファイバ心線４は、対応する光ファイバガイドパイプ１８に通されて移動板１０側に誘導される。移動板１０側に出た各光ファイバユニット７または光ファイバ心線４は、光ファイバホルダ２０に通されて中間部が保持される。光ファイバユニット７の場合は、この光ファイバホルダ２０のところで複数本の光ファイバ心線４に分離される。
【００３６】
入側の光ケーブルの光ファイバ心線４と出側の光ケーブルの光ファイバ心線４との接続すべきものは、図示しないが心線接続部で相互に接続される。各光ファイバ心線４の余長部は、許容される曲げ半径で輪取りされて個々に光ファイバ余長部収納トレイ１３に収納される。
【００３７】
このような光ケーブル接続箱では、内部空間３内の底部側に光ファイバユニット７の余長部が収容され、内部空間３の高さ方向の途中に複数の光ファイバ余長部収納トレイ１３が収容されるようになっているので、箱の底面積を可及的に小さくすることができ、該接続箱の設置面積を小さくすることができる。
【００３８】
このケーブル接続箱では、内部空間３内の底部側で作業をするときには、複数の光ファイバ余長部収納トレイ１３を支持している移動板１０が、図１（Ｂ）や図２に１点鎖線で示すように移動板移動アーム１１，１２の案内で内部空間３の上部側をあけるように移動するようになっているので、内部空間３内の底部側での作業を支障なく行うことができる。このときクランク形の移動板移動アーム１１は、図１（Ｂ）や図２に１点鎖線で示すように箱本体１の上縁部に載って該箱本体１の上縁部で支えられている。
【００３９】
また、内部空間３内の底部側に光ファイバユニット７の余長部を収容するようになっているので、光ファイバ心線４の余長が足りなくなった場合、光ファイバユニット７の余長部から余長を供給することができ、接続箱内に余長がないため総ての接続をやり直すような事態の発生を回避することができる。
【００４０】
また、この光ケーブル接続箱では、内部空間３の底部側から光ファイバユニット７または光ファイバ心線４を移動板１０側に誘導する複数本の光ファイバガイドパイプ１８が、内部空間３の底部と移動板１０とにそれぞれ回転自在に支持されて設けられているので、内部空間３の底部側から移動板１０への光ファイバユニット７または光ファイバ心線４の立ち上げを、線のもつれを回避しつつ容易に行うことができる。また、複数の光ファイバ余長部収納トレイ１３を支持した移動板１０を、内部空間３の高さ方向の途中から側方に移動させる際にも、その移動を線のもつれを回避しつつ容易に行うことができる。
【００４１】
また、この光ケーブル接続箱では、各光ファイバ余長部収納トレイ１３は光ファイバ余長部収納シートに比べて剛性が大きく、しかも個々の光ファイバ心線４の余長部を光ファイバ心線毎に収容するようになっており、しかも各光ファイバ余長部収納トレイ１３は移動板１０上にそれぞれ縦向きの姿勢で、且つ個々に取り外し可能に支持されているので、他の光ファイバ心線４に影響を与えずに１心線ずつ扱うことができる。このため、１本の光ファイバ心線４を扱う際に、他の光ファイバ心線４の曲率が小さくなることによる曲げ損失や、光ファイバ心線４に側圧を与えることによるマイクロベンド損失等の歪みが与えられるのを回避でき、光信号レベルの低下による光通信の停止を回避することができる。
【００４２】
さらに、この光ケーブル接続箱は、移動板１０上には光ファイバガイドパイプ１８から導出された光ファイバユニット７または光ファイバ心線４を保持する光ファイバホルダ２０が設けられているので、内部空間３の底部側から移動板１０に立ち上げられた光ファイバユニット７または光ファイバ心線４が移動板１０上で不要に移動するのを、該光ファイバホルダ２０で防止することができる。
【００４３】
上記例では、２条の入側の光ケーブルと２条の出側の光ケーブルの接続を行う光ケーブル接続箱の例について説明したが、本発明はこれに限定されるものではなく、例えば１条の入側の光ケーブルと１条の出側の光ケーブルの接続を行う光ケーブル接続箱等に適用できることは勿論である。
【００４４】
【発明の効果】
本発明に係る光ケーブル接続箱では、内部空間内の底部側に光ファイバユニットの余長部が収容され、内部空間の高さ方向の途中に複数の光ファイバ余長部収納トレイが収容されるようになっているので、箱の底面積を可及的に小さくすることができ、該接続箱の設置面積を小さくすることができる。
【００４５】
また、このケーブル接続箱では、内部空間内の底部側で作業をするときには、複数の光ファイバ余長部収納トレイを支持している移動板が、移動板移動アームの案内で内部空間の上部側をあけるように移動するようになっているので、内部空間内の底部側での作業を支障なく行うことができる。
【００４６】
さらに、このケーブル接続箱では、内部空間内の底部側に光ファイバユニットの余長部を収容するようになっているので、光ファイバ心線の余長が足りなくなった場合、光ファイバユニットの余長部から余長を供給することができ、接続箱内に余長がないため総ての接続をやり直すような事態の発生を回避することができる。
【図面の簡単な説明】
【図１】本発明に係る光ケーブル接続箱における実施の形態の一例を示したもので、（Ａ）はこの光ケーブル接続箱の蓋を破断して内部を開示した平面図、（Ｂ）は（Ａ）でケースの左半部を縦断して示した正面図である。
【図２】図１（Ａ）でケースの左半部を縦断して示した背面図である。
【図３】図１（Ａ）でケースを破断して内部を開示した右側面図である。
【符号の説明】
１  箱本体
２  蓋
３  内部空間
４  光ファイバ心線
５ａ，５ｂ  光ケーブル導入部
６  テンションメンバ引止め具
７  光ファイバユニット
８  ユニットガイド
９  移動板支持脚
１０  移動板
１１，１２  移動板移動アーム
１１ａ，１１ｂ，１２ａ，１２ｂ  枢支部
１３  光ファイバ余長部収納トレイ
１４  ブラケット
１５  トレイ支持軸
１６  ブラケット
１７  トレイ受け枠
１８  光ファイバガイドパイプ
１９  支持板
２０  光ファイバホルダ
【図１】
0003824780.tif 000002
【図２】
0003824780.tif 000003
【図３】
0003824780.tif 000004